(57)【要約】【課題】動き始めに対するレスポンスの良好な尾部（又は誘引要素）を備えたルアーを提供すること。【解決手段】本発明の一実施形態におけるルアーは、ルアー本体と、前記ルアー本体に連結された揺動部材と、を備え、前記揺動部材は、前記ルアー本体に対して回転することなく揺動するように構成されている。前記揺動部材は、前記ルアー本体に対向する第１面及び該第１面とは反対側の第２面を有し、前記第１面の略中央の位置において、前記ルアー本体と揺動可能に連結されていてもよい。【選択図】図１
2020110075.tif 000002
【特許請求の範囲】
【請求項１】
ルアー本体と、
前記ルアー本体に連結された揺動部材と、
を備え、
前記揺動部材は、前記ルアー本体に対して回転することなく揺動するように構成されている、ルアー。
【請求項２】
ルアー本体と、
前記ルアー本体に連結された揺動部材と、
を備え、
前記揺動部材は、前記ルアー本体に対向する第１面及び該第１面とは反対側の第２面を有し、前記第１面の略中央の位置において、前記ルアー本体と揺動可能に連結される、ルアー。
【請求項３】
前記揺動部材は、連結部材を介して前記ルアー本体と連結されるとともに、前記ルアー本体と前記連結部材との連結部を支点として揺動するように構成されている、請求項１又は２に記載のルアー。
【請求項４】
前記揺動部材は、前記ルアー本体に対向する第１面及び該第１面とは反対側の第２面を有する板状部材で構成され、
前記揺動部材の端部は、前記第２面を内側にして湾曲又は屈曲している、請求項１乃至３のいずれか一項に記載のルアー。
【発明の詳細な説明】
【技術分野】
【０００１】
本発明は、魚釣りに用いるルアーに関する。
【背景技術】
【０００２】
古くから、アウトドアフィールドにおけるレジャーとして、ルアーフィッシングが盛んに行われている。ルアーフィッシングでは様々な魚種を狙うことが可能であるが、ブラックバス（ラージマウスバス）を対象魚とするバスフィッシングの人気が高い。ブラックバスは、好奇心が旺盛であり、様々なタイプのルアーに反応する。そのため、バスフィッシングに使用されるルアーには、形状、色、動き等の異なる様々なタイプのルアーが存在する。
【０００３】
ブラックバスは、基本的には、フィッシュイーターとして知られている。そのため、ブラックバスの本能を刺激するべく、小魚の動きを模倣したルアーが多く検討されている。代表的には、特許文献１に記載されるように、軟質プラスチックで構成されたルアー本体の尾部（最後端部）を、魚の尾部に似せた形状としたルアーが知られている。特許文献１に開示されるルアーは、尾部を含むルアー全体が弾性体であり、水中において尾部が水流を受けて左右に揺動し、小魚が泳ぐような動きを模倣することができる。
【先行技術文献】
【特許文献】
【０００４】
【特許文献１】特開平１０−１３６８３５号公報
【発明の概要】
【発明が解決しようとする課題】
【０００５】
特許文献１に開示されるルアーの尾部は、径方向に広がる面が抵抗体となって水圧を受け、その水圧を受け流す力を利用して揺動する。しかしながら、ルアーを引く速度が遅い場合、例えば、ルアーの動かし始めなどには、尾部に十分な水圧が加わらず、揺動が不十分になってしまう場合がある。このように、弾性体で構成された尾部を備えたルアーでは、動き始めに対する尾部のレスポンスが悪く、小魚の尾のようなキビキビとした動きを再現することが困難であった。
【０００６】
本発明は、上述の問題に鑑みてなされたものであり、その課題の一つは、動き始めに対するレスポンスの良好な尾部（又は誘引要素）を備えたルアーを提供することにある。
【課題を解決するための手段】
【０００７】
本発明の一実施形態におけるルアーは、ルアー本体と、前記ルアー本体に連結された揺動部材と、を備え、前記揺動部材は、前記ルアー本体に対して回転することなく揺動するように構成されている。このとき、揺動部材は、ルアー本体の後部に装着されて、尾部のように機能する場合もあるし、ルアー本体のいずれかの部分に装着されて、対象魚を誘う誘引要素として機能する場合もある。
【０００８】
また、本発明の一実施形態におけるルアーは、ルアー本体と、前記ルアー本体に連結された揺動部材と、を備え、前記揺動部材は、前記ルアー本体に対向する第１面及び該第１面とは反対側の第２面を有し、前記第１面の略中央の位置において、前記ルアー本体と揺動可能に連結されている。
【０００９】
上述の各ルアーにおいて、前記揺動部材は、連結部材を介して前記ルアー本体と連結されていてもよい。この場合、揺動部材は、前記ルアー本体と前記連結部材との連結部を支点として揺動するように構成されていてもよい。また、前記揺動部材は、前記ルアー本体に対向する第１面及び該第１面とは反対側の第２面を有する板状部材で構成されていてもよい。このとき、前記揺動部材の端部は、前記第２面を内側にして湾曲又は屈曲していてもよい。
【発明の効果】
【００１０】
本発明の一実施形態によれば、動き始めに対するレスポンスの良好な尾部を備えたルアーを提供することができる。
【図面の簡単な説明】
【００１１】
【図１】第１実施形態におけるルアーの外観構成を示す図である。
【図２】第１実施形態におけるルアーに用いる揺動部材の構成を示す図である。
【図３】第２実施形態におけるルアーに用いる揺動部材の構成を示す図である。
【図４】第３実施形態におけるルアーの外観構成を示す図である。
【図５】第４実施形態におけるルアーの外観構成を示す図である。
【発明を実施するための形態】
【００１２】
以下、図面を参照して本発明であるルアーの実施形態について説明する。但し、本発明のルアーは多くの異なる態様で実施することが可能であり、以下に示す例の記載内容に限定して解釈されるものではない。例えば、以下の説明では、ルアーとしてプラグと呼ばれるタイプのルアーに適用した例について説明するが、これに限らず、あらゆるタイプのルアーに対して適用可能である。
【００１３】
また、本明細書において、「上」とは、ルアーの使用時に浮力が働く方向を指し、「下」とは、「上」とは逆の方向を指す。すなわち、ルアーが水中で使用されている場合、水面の位置する方向が「上」であり、湖底や川底が位置する方向が「下」である。また、「前」及び「後」は、ルアーが進行する方向を「前」とし、その逆の方向を「後」とする。さらに、「左」及び「右」は、「前」を向いた状態における左側及び右側を指す。
【００１４】
〈第１実施形態〉
図１は、第１実施形態におけるルアー１０の外観構成を示す図である。具体的には、図１（Ａ）は、矢印Ａで示されるルアー本体１２の進行方向に対して、ルアー１０を左側方から見た図を示している。図１（Ｂ）は、矢印Ａで示されるルアー本体１２の進行方向Ａに向かって、ルアー１０を後方から見た図を示している。
【００１５】
図１において、ルアー１０は、ルアー本体１２、第１フック１４ａ、第２フック１４ｂ、連結部材１６、及び揺動部材１８を含む。ただし、フックの数は、これに限られるものではなく、１つであっても良いし、３つ以上であっても良い。また、本実施形態では、ルアー本体１２の先端部にリップのない、いわゆるリップレスタイプのルアーを例示しているが、リップ付きタイプのルアーであってもよい。
【００１６】
ルアー本体１２は、ルアー１０の外観をなす主要な構造体であり、例えば、木材、プラスチック、発砲樹脂等を用いて形成される。本実施形態では、ルアー本体１２の形状を、進行方向Ａに沿って細長いミノータイプの形状とした例を示すが、いわゆるクランクベイトタイプの形状としてもよいし、その他のタイプの形状としてもよい。
【００１７】
また、ルアー本体１２は、第１アイ１３ａ、第２アイ１３ｂ、第３アイ１３ｃ、及び第４アイ１３ｄを有する。「アイ」とは、金属で構成されるリング状の部品であり、ライン（釣り糸）を結んだり、他の部品を連結したりするために用いられる。
【００１８】
第１アイ１３ａは、ルアーを引くラインを結ぶためのアイであり、ラインアイとも呼ばれる。第２アイ１３ｂ及び第３アイ１３ｃは、それぞれ第１フック１４ａ及び第２フック１４ｂを連結するためのアイである。なお、本実施形態では、第２アイ１３ｂ及び第３アイ１３ｃと第１フック１４ａ及び第２フック１４ｂとは、スプリットリング１５を介して連結されている。第４アイ１３ｄは、連結部材１６を介して揺動部材１８を連結するためのアイである。また、本実施形態では、２つのフックを備えた例を示すが、フックの数は任意である。
【００１９】
上述の第１アイ１３ａ〜第４アイ１３ｄの取付け位置は任意であり、図１（Ａ）に示した例に限られない。また、本実施形態では、スプリットリング１５を用いて、ルアー本体１２と第１フック１４ａ及び第２フック１４ｂとを連結しているが、ルアー本体１２にフックハンガー（図示せず）を取り付け、そのフックハンガーに第１フック１４ａ及び第２フック１４ｂを連結してもよい。
【００２０】
連結部材１６は、ルアー本体１２と揺動部材１８とを連結するための部材であり、本実施形態ではスナップを用いる。スナップとは、釣りに使用される金属製の連結用具であって、ワイヤ（線材）を加工して形成される。本実施形態では、ルアー本体１２の後部に配置された第４アイ１３ｄと揺動部材１８とを連結するために、連結部材１６としてスナップを使用している。
【００２１】
図１（Ａ）に示されるように、本実施形態では、連結部材１６として、ワイヤで構成された略リング形状のスナップを用いる。連結部材１６は、図１（Ａ）に示されるように、リング形状の一端が第４アイ１３ｄに連結される。また、図１（Ｂ）に示されるように、揺動部材１８の略中央には、ルアー本体１２と揺動部材１８とを連結するための第１孔１７ａ及び第２孔１７ｂが設けられている。第１孔１７ａ及び第２孔１７ｂに連結部材１６を構成するワイヤを挿通することにより、連結部材１６の他端が揺動部材１８に連結される。このように、本実施形態の連結部材１６は、ルアー本体１２及び揺動部材１８のそれぞれに対して可動式に連結される。
【００２２】
なお、本実施形態では、連結部材１６との連結のために、揺動部材１８の略中央に第１孔１７ａ及び第２孔１７ｂを設けた構成を例示したが、これに限られるものではない。例えば、連結部材１６を挿通可能な部品（例えば、フックハンガーのような部材）を揺動部材１８の第１面１８ａ（ルアー本体１２に対向し、水流を受ける面）の略中央に取り付けてもよい。
【００２３】
また、本実施形態では、ルアー本体１２と揺動部材１８とを連結する連結部材１６としてスナップを用いる例を示したが、これに限られるものではない。本実施形態で使用する連結部材１６としては、ルアー本体１２に対して揺動部材１８を揺動自在に連結できる部材であれば、如何なる部材を用いても良い。
【００２４】
例えば、スナップに代えて、円形状（好ましくは、長円形状）のスプリットリングを用いても良いし、端部が第４アイ１３ｄ及び揺動部材１８に連結できるように加工された線状部材であってもよい。つまり、ルアー本体１２に対し、揺動部材１８が、回転することなく揺動するように連結できればよい。ここで、本明細書において「回転することなく揺動する」とは、揺動部材１８が、ルアー本体１２に対して、一方向に制限なく回転することなく、単に揺動する（上下又は左右に揺れ動く）ことを意味する。つまり、揺動部材１８は、ルアー本体１２に対して、回転する部材として機能するのではなく、所定の振幅で往復運動を繰り返す部材として機能する。
【００２５】
本実施形態の場合、連結部材１６として用いるスナップは、スイベル等の部材を有していない単なる環状部材である。つまり、環状部材である第４アイ１３ｄと連結部材１６とが連結した場合、連結部材１６は、第４アイ１３ｄに対して一回転することはできない。そのため、連結部材１６を揺動部材１８の第１孔１７ａ及び第２孔１７ｂに挿通して両者を連結した場合、揺動部材１８も第４アイ１３ｄに対して回転することはできない。以上のことから、本実施形態の揺動部材１８は、ルアー本体１２に対し、一方向に制限なく回転することはできない。この点において、本実施形態の揺動部材１８は、公知のルアーの後部に設けられたプロペラ及びブレイド（スナップスイベルを用いて回転可能に装着された部材）とは異なるものである。
【００２６】
このように、本実施形態では、ルアー本体１２に対し、敢えて揺動部材１８が制限なく回転しないように連結することにより、揺動部材１８がルアー本体１２に対向する面で水流を受ける。したがって、ルアー本体１２と連結部材１６との連結部（本実施形態では、ルアー本体１２の第４アイ１３ｄ）を支点として、揺動部材１８が上下又は左右に揺れ動く構成となっている。
【００２７】
揺動部材１８は、ルアー１０の尾部として機能する部材であり、ルアー本体１２の後部に連結部材１６を介して連結される。図２は、第１実施形態におけるルアー１０に用いる揺動部材１８の構成を示す図である。具体的には、図２（Ａ）は、揺動部材１８の外観を示す斜視図であり、図２（Ｂ）は、揺動部材１８の背面図である。また、図２（Ｃ）、図２（Ｄ）及び図２（Ｅ）は、それぞれ図２（Ｂ）に示す揺動部材１８を、Ａ−Ａ、Ｂ−Ｂ及びＣ−Ｃで切断した断面図を示している。
【００２８】
本実施形態の揺動部材１８は、例えばアルミニウム、ステンレス等の金属材料で構成された板状部材、すなわち金属片を加工して形成されている。金属片は、加工（切断処理や折り曲げ処理）が容易であり、薄くても強度が高いという利点を有する。ただし、揺動部材１８として使用可能な材料は、金属材料に限られるものではなく、セラミックス材料、カーボン材料、又はプラスチック材料等を用いることができる。すなわち、ルアー１０を使用した際に、水圧に十分耐える強度を有する板状部材を形成可能な材料であれば、如何なる材料を用いても良い。
【００２９】
図１（Ａ）に示されるように、本実施形態において、揺動部材１８は、ルアー本体１２に対向する第１面１８ａ及び第１面１８ａとは反対側の第２面１８ｂを有する。揺動部材１８の第１面１８ａは、ルアー１０を使用した際、水流を受ける面である。揺動部材１８は、第１面１８ａに水流を受け、第１面１８ａにかかった水圧を逃がすように、ルアー本体１２の進行方向Ａに対して左右に揺動する。このとき、揺動部材１８は、連結部材１６を介してルアー本体１２の第４アイ１３ｄに連結されているため、第４アイ１３ｄを支点として揺動する。つまり、揺動部材１８は、第４アイ１３ｄの位置を原点とし、連結部材１６の長軸方向の長さを半径とする円弧上を往復運動する。そのため、揺動部材１８の振れ幅は、連結部材１６の長軸方向の長さによって調節可能である。
【００３０】
なお、本実施形態では、ルアー１０の尾部として機能させるため、揺動部材１８がルアー本体１２の進行方向Ａに対して左右に揺動するよう構成しているが、揺動部材１８は上下又は斜め方向に揺動させてもよい。揺動部材１８をどの方向に揺動させるかは、揺動部材１８の形状によって任意に制御することができる。
【００３１】
本実施形態の場合、図２（Ｂ）に示されるように、揺動部材１８の外形を長円の中央付近がくびれた形状とし、連結部材１６を連結するための第１孔１７ａ及び第２孔１７ｂを揺動部材１８の略中央に配置している。したがって、揺動部材１８の第１面１８ａは、水流を受けると連結部材１６によって支持されるものの、第１面１８ａに受ける水圧のバランスが崩れると、左右のいずれかに向かって移動する。このような動きの繰り返しにより、揺動部材１８は、ルアー本体１２の進行方向Ａに対して揺動する。
【００３２】
また、図２（Ｃ）、図２（Ｄ）及び図２（Ｅ）に示されるように、本実施形態の揺動部材１８の端部は、第２面１８ｂを内側にして屈曲又は湾曲している。例えば、図２（Ｃ）に示す断面図では、揺動部材１８は、角度θ１で折り曲げられた屈曲部１９ａ及び１９ｂを有している。図２（Ｄ）に示す断面図では、揺動部材１８は、角度θ２で折り曲げられた屈曲部１９ｃ及び１９ｄを有している。さらに、図２（Ｅ）に示す断面図では、揺動部材１８は、角度θ３で折り曲げられた屈曲部１９ｅを有している。。このとき、角度θ１、θ２及びθ３は、それぞれ異なる角度であっても良いし、同じ角度であってもよい。角度θ１〜θ３は、揺動部材１８を構成する材料又は揺動部材１８の形状に応じて適宜決定すればよい。本実施形態では、角度θ１〜θ３を１０度以上３０度以下の範囲内に収めている。
【００３３】
また、本実施形態では、揺動部材１８の端部が屈曲又は湾曲している例を示したが、このような屈曲部又は湾曲部は必須の構成ではなく、適宜省略することも可能である。例えば、図２（Ｅ）を用いて説明した位置だけ屈曲部又は湾曲部を設け、他の部分は平坦部とすることも可能であるし、全体的に端部は平坦部としてもよい。揺動部材１８の端部を屈曲又は湾曲させるかについては、揺動部材１８を構成する材料又は揺動部材１８の形状に応じて適宜決定することができる。
【００３４】
以上説明したように、本実施形態では、ルアー本体１２の後部（例えば、終端部）に、連結部材１６（本実施形態では、スナップ）を介して連結された揺動部材１８（本実施形態では、金属片）を設け、揺動部材１８がルアー本体１２の進行方向Ａに対して揺動自在となっている。このような構成により、揺動部材１８が水流を受けて左右に揺動し、小魚の尾部のような動きを表現することができる。その際、揺動部材１８は金属片等の薄い板状部材で構成されているため、僅かな水圧のバランスの崩れにより容易に揺動する。これにより、ルアー本体１２の動き始めに対するレスポンスの良好な尾部を備えたルアー１０を実現することができる。
【００３５】
〈第２実施形態〉
本実施形態では、ルアー本体１２に対して第１実施形態とは異なる形状の揺動部材２０を装着した例について説明する。図３は、第２実施形態におけるルアー１０に用いる揺動部材２０の構成を示す図である。具体的には、図３（Ａ）は、揺動部材２０の外観を示す斜視図であり、図３（Ｂ）は、揺動部材２０の背面図である。また、図３（Ｃ）は、揺動部材２０を左側から見た側面図である。
【００３６】
図３（Ａ）、図３（Ｂ）及び図３（Ｃ）に示されるように、基本的な構成は、第１実施形態で説明した揺動部材１８と同様である。すなわち、揺動部材２０は、水流を受ける第１面２０ａと、第１面２０ａとは反対側の第２面２０ｂとを有する。また、揺動部材２０の略中央には、第１実施形態で説明した連結部材１６を挿通するための第１孔２１ａ及び第２孔２１ｂが設けられている。
【００３７】
第１実施形態と異なる点として、本実施形態の揺動部材２０は、図３（Ａ）に示されるように、下端部に湾曲部２２を有する。本実施形態の揺動部材２０は、湾曲部２２を有することにより、水面付近でルアー１０を使用した場合に、揺動部材２０が水面上に飛び出してしまうことを抑制する効果を奏する。
【００３８】
なお、本実施形態の揺動部材２０は、左右の端部及び上端部は、屈曲部も湾曲部も設けられておらず、平坦部となっている。ただし、これに限らず、左右の端部及び／又は上端部に、第１実施形態で説明したような屈曲部又は湾曲部を設けてもよい。
【００３９】
揺動部材２０の湾曲部２２は、折り曲げ部分２２ａと平面部分２２ｂとを含む。折り曲げ部分２２ａは、図３（Ｃ）に示されるように、揺動部材２０の第１面２０ａより前方側（ルアーが進行する方向）に突出して設けられているが、これに限られるものではない。平面部分２２ｂは、必ずしも平面である必要はなく、湾曲していても良い。また、平面部分２２ｂの長さ（折り曲げ部分２２ａから後方側先端までの長さ）は、揺動部材２０全体の形状等を考慮して決定すればよい。本実施形態では、平面部分２２ｂの長さを１０ｍｍとしているが、典型的には、５〜２０ｍｍの範囲とすればよい。
【００４０】
以上のように、本実施形態の揺動部材２０は、第１実施形態に示した揺動部材１８と外観が異なるが、ルアー本体１２の後部に連結部材１６を介して連結することにより、ルアー１０の尾部として機能する。その際、揺動部材２０は、第１面２０ａに水流を受け、僅かな水圧のバランスの崩れにより、ルアー本体１２の進行方向Ａに対して容易に揺動する。これにより、ルアー本体１２の動き始めに対するレスポンスの良好な尾部を備えたルアー１０を実現することができる。
【００４１】
〈第３実施形態〉
第１実施形態及び第２実施形態では、ルアー本体１２に対して、連結部材１６を介して間接的に揺動部材１８を装着する例を示したが、連結部材１６は省略することも可能である。すなわち、揺動部材１８は、ルアー本体１２（具体的には、ルアー本体１２の第４アイ１３ｄ）に対して、直接的に連結されていてもよい。この場合であっても、第１実施形態及び第２実施形態と同様に、揺動部材１８は、水流を受けて左右に揺動し、小魚の尾部のような動きを表現することができる。
【００４２】
図４は、第３実施形態におけるルアー１０の外観構成を示す図である。具体的には、図４（Ａ）は、矢印Ａで示されるルアー本体１２の進行方向に対して、ルアー１０を左側方から見た図を示している。図４（Ｂ）は、矢印Ａで示されるルアー本体１２の進行方向Ａに向かって、ルアー１０を後方から見た図を示している。なお、第１実施形態と共通する部分については同じ符号を付して詳細な説明を省略する。
【００４３】
本実施形態の場合、図４（Ａ）に示されるように、揺動部材１８は、ルアー本体１２の第４アイ１３ｄに直接連結されているため、第４アイ１３ｄを支点として、第１実施形態よりも速いピッチで揺動する。具体的には、揺動部材１８は、第４アイ１３ｄの位置を中心として、多くの振動を繰り返す。また、本実施形態では、揺動部材１８を第４アイ１３ｄに直接連結することにより、揺動部材１８の揺動に伴う振動を直接的にルアー本体１２に伝えることができる。ルアー本体１２に伝達された振動は、ライン（図示せず）を介して釣り人の手元に伝わる。すなわち、揺動部材１８を第４アイ１３ｄに直接連結することにより、揺動部材１８の振動を感度よく釣り人の手元に伝えることができる。
【００４４】
釣り人は、ラインを通してルアー１０から伝わる振動を感じることで、例えば、ルアー１０に水中のウィード（水草）が引っ掛かったことを認識したり、魚がルアー１０を咥えたことを認識したりすることができる。つまり、本実施形態の構成は、ルアー１０の水中における状況を把握する上で非常に有利であり、ウィードへの引っ掛かりを避けたりフッキング動作を行ったりする上で、釣り人の対応を速めることができる。
【００４５】
また、本実施形態では、揺動部材１８の取付けに使用する第４アイ１３ｄに隣接して、カップワッシャー２３が装着されている。具体的には、第４アイ１３ｄから延在するワイヤ１３ｄａに対して、可動式にカップワッシャー２３が装着されている。このような構成は、例えば、カップワッシャー２３の孔にワイヤ１３ｄａを挿通させ、ワイヤ１３ｄａに沿ってカップワッシャー２３が移動できるようにすればよい。この場合、ワイヤ１３ｄａとしては、ヒートン（スクリューアイとも呼ばれる）を用いることができる。
【００４６】
カップワッシャー２３を可動式にすると、ルアー１０が水中を進行した際に、水圧でカップワッシャー２３が後方に移動して第４アイ１３ｄの一部を覆う。これにより、カップワッシャー２３が、揺動部材１８の可動域を制限するストッパ（制動部材）として機能する。つまり、カップワッシャー２３は、揺動部材１８の可動域を制限し、揺動を安定させる機能を有する。
【００４７】
図４（Ａ）に示すように、揺動部材１８は、第１孔１７ａ及び第２孔１７ｂに第４アイ１３ｄを挿通して連結されているため、第４アイ１３ｄを中心として前後方向に揺動する。例えば、図４（Ａ）に示す視点から見れば、揺動部材１８は、第４アイ１３ｄを中心に回転するように前後方向に揺動する。また、図４（Ｂ）に示す視点から見れば、揺動部材１８の左辺及び右辺が前後方向に揺動する。
【００４８】
このとき、揺動部材１８がカップワッシャー２３と接触すると、揺動部材１８の前後方向への揺動が制限される。つまり、カップワッシャー２３によって揺動部材１８の可動域が制限される。揺動部材１８の可動域が制限されると、揺動部材１８の第１面１８ａが水流に対して略垂直に当たりやすくなる。これにより、ルアー１０が進行方向Ａに向かって進んだ際、揺動部材１８の第１面１８ａが安定して水流を受ける。その結果、ルアー１０を引き始めたとき、又は、ルアー１０が障害物に当たったときなどに、揺動部材１８が進行方向Ａに対して略水平になって揺動しなくなる状況を回避することができる。また、揺動部材１８の可動域の制限により、揺動部材１８の不要なバタつきが抑えられ、揺動部材１８が安定して揺動する。
【００４９】
なお、本実施形態では、揺動部材１８の可動域を制限するストッパ（制動部材）としてカップワッシャー２３を用いる例を示したが、これに限られるものではない。すなわち、揺動部材１８の可動域を制限することができる限り、どのような制動手段を用いても構わない。例えば、第４アイ１３ｄの一部にはんだ等の金属を固着させて揺動部材１８の可動域を制限してもよい。
【００５０】
また、本実施形態では、第４アイ１３ｄに隣接して、カップワッシャー２３を可動式に配置した例を示したが、これに限られるものではなく、カップワッシャー２３を固定して配置してもよい。ただし、カップワッシャー２３を可動式に配置した場合、ルアー１０をキャストした際に揺動部材１８が空気を受け流すことができる。つまり、揺動部材１８が受ける空気抵抗を抑えることができるため、ルアー１０の飛距離を向上させることができるというメリットがある。
【００５１】
〈第４実施形態〉
第１実施形態から第３実施形態では、ルアーとして、プラグと呼ばれるタイプのルアーを例示して説明したが、これに限らず、揺動部材は、スピナーベイト、バズベイトなどのワイヤーベイトにも適用することができる。本実施形態では、本発明をスピナーベイトに適用した例について図５を用いて説明する。
【００５２】
図５は、第４実施形態におけるルアー３０の外観構成を示す図である。具体的には、図５（Ａ）は、矢印Ａで示されるルアー３０の進行方向に対して、ルアー３０を左側方から見た図を示している。図５（Ｂ）は、第４実施形態におけるルアー３０に用いる揺動部材３1の構成を示す正面図である。
【００５３】
図５（Ａ）に示すルアー３０は、スピナーベイトと呼ばれるタイプのルアーであり、基本的には屈曲させたワイヤ３３を用いて構成される。ワイヤ３３は、水中において上方に位置する部分をアッパーアーム３３ａと呼び、下方に位置する部分をローワーアーム３３ｂと呼ぶ。ローワーアーム３３ｂの端部３３ｂａに、錘として機能するヘッド部３４が取り付けられている。ヘッド部３４は、タングステン又は鉛で構成され、フック３５のシャンク部分に固着されることにより、フック３５と一体になっている。
【００５４】
また、ヘッド部３４とフック３５の連結部付近には、ラバースカート３６が装着されている。本実施形態では、ラバースカート３６として、シリコン材料で構成されたラバーを用いるが、これに限られるものではない。
【００５５】
なお、本実施形態では、ワイヤ３３、ヘッド部３４及びフック３５をまとめてルアー本体３８と呼ぶ。ルアー本体３８において、ワイヤ３３の屈曲した部分は、ラインアイ３７として機能する。ルアー３０は、ラインアイ３７に結ばれたライン（図示せず）によって水中を引かれる。
【００５６】
また、図５（Ａ）に示されるように、本実施形態のルアー３０は、アッパーアーム３３ａの端部３３ａａに、揺動部材３１が連結されている。具体的には、アッパーアーム３３ａの端部３３ａａを環状に湾曲させ、揺動部材３１の第１孔３２ａ及び第２孔３２ｂに挿通させることにより、アッパーアーム３３ａの端部３３ａａと揺動部材３１とを連結している。ただし、この連結方法は一例であり、これに限られるものではない。例えば、ワイヤ３３を挿通可能な部品（例えば、フックハンガーのような部材）を揺動部材３１の第１面３１ａの略中央に取り付けてもよい。。
【００５７】
図５（Ｂ）に示されるように、揺動部材３１は、第１面３１ａ及び第２面３１ｂを有する板状部材で構成されている。揺動部材３１の第１面３１ａは、ルアー３０の進行方向を向いて水流を受ける面である。本実施形態のルアー３０は、水中において進行方向Ａに向かって引かれたとき、揺動部材３１の第１面３１ａに水流を受けて、揺動部材３１が振動する。この場合、第３実施形態と同様に、揺動部材３１の振動は、直接的にワイヤ３３に伝わるため、ライン（図示せず）を介して釣り人の手元に伝わる。すなわち、揺動部材３１をアッパーアーム３３ａの端部３３ａａに直接連結することにより、揺動部材３１の振動を感度よく釣り人の手元に伝えることができる。
【００５８】
ここで、本実施形態の揺動部材３１は、図５（Ｂ）に示されるように、正面視において、上端が直線状の２辺で構成され、側端が湾曲した２辺で構成されている。換言すれば、揺動部材３１は、盾のような形状を有している。ただし、揺動部材３１の外形は、この例に限られるものではなく、第１面３１ａで水流を受けた際に、後方に水流を受け流すことができる外形であればよい。そのためには、アッパーアーム３３ａの端部３３ａａは、揺動部材３１の第１面３１ａの端部以外の位置（好ましくは、略中央の位置）に連結されていることが望ましい。
【００５９】
なお、図５（Ａ）に示すルアー３０は、ワイヤ３３の２つの端部（端部３３ａａ及び端部３３ｂａ）のうち、ヘッド部３４及びフック３５が取り付けられていない側の端部３３ａａに揺動部材３１を装着する例を示した。しかし、この例に限らず、フック３５のベンド部分３５ａに対し、スナップ等の連結部材を介して揺動部材３１を装着することも可能である。この点については、バズベイトと呼ばれるタイプについても同様であり、バズベイトのフックに対し、スナップ等の連結部材を介して揺動部材を装着することも可能である。このように、フックの近傍に揺動部材を装着することにより、ブラックバス等の対象魚がフックを咥える可能性が高くなり、フッキング率を向上させることが可能である。
【００６０】
本実施形態のように、スピナーベイトと呼ばれるタイプに本発明を適用する場合、ルアー本体３８の終端部（フック３５のベンド部分３５ａ及び／又はアッパーアーム３３ａの端部３３ａａ）に揺動部材３１を連結することが可能である。すなわち、本実施形態のルアー３０において、ルアー本体３８の後部は、例えばフック３５のベンド部分３５ａ及び／又はアッパーアーム３３ａの端部３３ａａに相当する。したがって、本実施形態のルアー３０は、ルアー本体３８の後部に揺動部材３１が連結されていると言える。
【００６１】
なお、第３実施形態と同様に、揺動部材３１の可動域を制限するために、アッパーアーム３３ａの端部３３ａａの一部を、カップワッシャー等の制動部材（図示せず）で覆う構成としてもよい。この場合、例えば、アッパーアーム３３ａの端部近傍に、カップワッシャーの移動を制限するビーズ等の他の制動部材（図示せず）を固着させ、他の制動部材と端部３３ａａとの間にカップワッシャー等を配置すればよい。
【００６２】
〈第５実施形態〉
第１実施形態で説明した揺動部材１８又は第２実施形態で説明した揺動部材２０は、さらにスピンベイト（金属ボディにブレイドが装着されたタイプのルアー）、ジグ（フックに重りが装着されたタイプのルアー）、フロッグ（プラスチックの中空ボディにフックが装着されたタイプのルアー）に装着してもよい。また、ソフトベイト（軟質プラスチックで構成されたルアー）を使用する際のフックに対して装着してもよい。
【００６３】
さらに、上記例示に限らず、本発明は、ルアー本体の後部に第１実施形態又は第３実施形態の態様で揺動部材を装着可能であれば、如何なるタイプのルアーに対しても適用することができる。
【００６４】
以上、本発明について図面を参照しながら説明したが、本発明は上記の実施形態に限られるものではなく、本発明の趣旨を逸脱しない範囲で適宜変更することが可能である。また、上述した各実施形態は、特に技術的な矛盾を生じない限り、それぞれ組み合わせることが可能である。
【符号の説明】
【００６５】
１０…ルアー、１２…ルアー本体、１３ａ…第１アイ、１３ｂ…第２アイ、１３ｃ…第３アイ、１３ｄ…第４アイ、１４ａ…第１フック、１４ｂ…第２フック、１５…スプリットリング、１６…連結部材、１７ａ…第１孔、１７ｂ…第２孔、１８…揺動部材、１８ａ…第１面、１８ｂ…第２面、１９ａ、１９ｂ、１９ｃ、１９ｄ、１９ｅ…屈曲部、２０…揺動部材、２０ａ…第１面、２０ｂ…第２面、２１ａ…第１孔、２１ｂ…第２孔、２２…湾曲部、２２ａ…折り曲げ部分、２２ｂ…平面部分、２３…カップワッシャー、３０…ルアー、３１…揺動部材、３１ａ…第１面、３１ｂ…第２面、３２ａ…第１孔、３２ｂ…第２孔、３３…ワイヤ、３３ａ…アッパーアーム、３３ｂ…ローワーアーム、３３ａａ、３３ｂａ…端部、３４…ヘッド部、３５…フック、３６…ラバースカート、３７…ラインアイ、３８…ルアー本体
【図１】
2020110075.tif 000003
【図２】
2020110075.tif 000004
【図３】
2020110075.tif 000005
【図４】
2020110075.tif 000006
【図５】
2020110075.tif 000007